(57)【要約】【課題】より長い有効寿命を備え、複数回の針の穿刺の後も有効に再密閉し通常の組み立て機構を用いてより容易に組み立てられる、注入ポートを提供する。【解決手段】胃バンディング組立体６と共に用いられるポート１０は、複数回の針の穿刺によって引き起こされる欠陥の密閉を援助するように多方向の圧縮力を受けるセプタム１６をその中に有する。軸方向の圧縮力および半径方向の圧縮力を含む多方向の圧縮力は、先細りのセプタムを提供することによって生み出すことができる。そのような多方向の圧縮力は、セプタムをポート本体１１に挿入するための先細りの引き込み部１５０を設けることによっても生み出すことができる。【選択図】図２
2007203070.tif 000002
【特許請求の範囲】
【請求項１】
ポートにおいて、
（ａ）セプタム保持器を中に有するポート本体と、
（ｂ）セプタムであって、前記セプタムが前記セプタム保持器内に収容されたときに、多方向の圧縮力が前記セプタムに働くように前記セプタム保持器と係合するよう操作可能に構成された、先細りの表面、を含む、セプタムと、
を具備する、ポート。
【請求項２】
請求項１に記載のポートにおいて、
前記セプタムが、弾性材料で構成されている、ポート。
【請求項３】
請求項２に記載のポートにおいて、
前記セプタムが、シリコンで構成されている、ポート。
【請求項４】
請求項１に記載のポートにおいて、
前記セプタム保持器が、前記セプタムの前記先細りの表面に対応する先細りの表面、をさらに含む、ポート。
【請求項５】
請求項１に記載のポートにおいて、
前記複数の方向の圧縮力が、針の穿刺によって引き起こされた欠陥がほぼ自己回復するように前記セプタムに加えられる、軸方向の圧縮力、および半径方向の圧縮力、を含む、ポート。
【請求項６】
請求項１に記載のポートにおいて、
前記セプタム保持器が、
カラー、および基部、
をさらに含み、
前記カラーおよび前記基部は、前記セプタムが前記カラーおよび前記基部内で圧縮されるように、結合されている、
ポート。
【請求項７】
請求項１に記載のポートにおいて、
前記多方向の圧縮力が、エーコーンプレスを用いて、前記セプタム、および前記セプタム保持器を結合することによって、生み出される、ポート。
【請求項８】
ポートにおいて、
（ａ）ポート本体と、
（ｂ）前記ポート本体内に収容されたセプタム保持器であって、基部、およびカラーを含む、セプタム保持器と、
（ｃ）セプタムであって、前記セプタムは、前記セプタム保持器が組み立てられたときに前記基部および前記カラーの中に保持されて、多方向の圧縮力が前記セプタムに働く、セプタムと、
を具備する、ポート。
【請求項９】
胃バンディング組立体において、
（ａ）胃バンドと、
（ｂ）注入ポートであって、前記注入ポートは、前記注入ポートと前記胃バンドとの間に構成された送達部分によって前記胃バンドに結合されている、注入ポートと、
（ｃ）前記注入ポート内に収容されたセプタム保持器であって、基部、およびカラーを、含む、セプタム保持器と、
（ｄ）セプタムであって、前記セプタムが、前記セプタム保持器内に収容されたときに多方向の圧縮力が前記セプタムに働くように前記セプタム保持器と係合するよう操作可能に構成された、先細りの表面、を含む、セプタムと、
を具備する、胃バンディング組立体。
【発明の詳細な説明】
【開示の内容】
【０００１】
〔技術分野〕
本発明は、大まかに言って、医療用インプラントおよびアプライヤーに関し、より詳しく言うと、さまざまな医療用インプラントおよびアプライヤーと共に用いるための注入ポートに関する。本発明は、以下に限定されないが、外科手術によって植え込み可能な注入ポートおよび注入ポート用のアプライヤーに関連して開示される。
【０００２】
〔背景技術〕
注入ポートは、一般的に、患者の皮膚の下に配置され、例えば、薬剤注入、血液吸引、および、胃バンド調整、などのさまざまな用途がある。１９８０年代のはじめ以来、調節可能な胃バンドは、胃バイパス、および、病的肥満のためのその他の不可逆的な手術による減量治療、の有効な代替物を提供してきた。胃バンドは、一般的に、患者の胃の上側部分の周りに巻かれて、胃の上側部分から下側部分への食物の通過を制限する瘻（stoma）が形成されるようにする。胃バンドが適所に配置され、そして、瘻が適切な大きさであると、胃の上側部分内に保持された食物は、満腹感を提供し、その満腹感が過食を阻止する。しかし、胃バンドの初期の調節不良、または、時間の経過に伴う胃の変化、が、不適切な大きさの瘻を導くことがあり、この不適切な大きさの瘻は、胃バンドを調節する十分な理由となる。例えば、患者は、瘻が無理なく食物を通過させるには小さすぎる場合、嘔吐の発作、または、不快感、を被ることがある。瘻が大きすぎ、胃の上側部分からの食物の移動を遅らせることができない場合、胃バンドはしっかりと締められなければならない。
【０００３】
胃バンドは、一般的に、血圧カフに類似した、内側に向けられた膨張可能なバルーンによって調節され、バルーン内には食塩水などの流体が注入されている。流体およびその類似物は、所望の直径を得るために用いることができる流体注入ポートを用いて、膨張可能なバルーン内に頻繁に注入される。調節可能な胃バンドは、一般的に、長期間に亘って患者の体内に留まるので、流体注入ポートは感染を防止するために、典型的には、皮下に据え付けられる。調節可能な胃バンド内の流体の量は、ヒューバー針を皮膚を通して注入ポートのシリコンセプタムに挿入することによって、一般的に、調節される。針が除去されると、セプタムが針穴を密閉する。柔軟な導管が注入ポートと調節可能な胃バンドとの間で連絡している。
【０００４】
シリコンセプタムは、一般的に、部分的に自己回復（self-healing）であり、複数の針の穿刺は、セプタムが無効になるまで実行されてよい。この自己回復の特性は、一般的に、セプタムが注入ポートと共に組み立てられたときにセプタムに軸方向の圧縮荷重を加えることによって、得られる。この軸方向の圧縮力は、一般的に、セプタムを組み立ての間に２つの隣接する部品の間に挟み、セプタムが手技の間中圧縮力を負荷されるようにすることで、達成される。この圧縮荷重は、針の穿刺によって引き起こされたセプタムの欠陥を再密閉できることが多い。
【０００５】
セプタムは多数回の針の穿刺の後も自己回復する能力を備えているが、この能力は、セプタムが繰り返して穿刺されるにつれて、一つには軸方向の圧縮荷重が欠陥を再密閉できないことに起因して、悪化し始めることがある。注入ポートは一般的に植え込み可能なので、胃バンドを用いる手技または類似の手技は、その注入ポートでセプタムがより有効でないか、または無効になった注入ポートを除去および／または交換するために、短縮または中断されなければならないことがある。そのような手技は、患者および病院の双方に費用の増加をもたらすことがあり、注入ポートを除去するために外科手術が必要な場合には患者への健康リスクを引き起こすことがある。さらに、胃バンドまたはその類似物は、流体またはその類似物が、セプタムが完全性を失った場合に拡散または漏出しうる場合、より有効でなくなることがある。
【０００６】
したがって、より長い有効寿命を備えたセプタムを提供することが有益であろう。複数回の針の穿刺の後も有効に再密閉し従来の組み立て機構を用いてより容易に組み立てられるセプタムを提供することはなおいっそう有益であろう。
【０００７】
〔発明の概要〕
開示されているのは、胃バンドと、注入ポートと、を含む胃バンディング組立品であり、注入ポートは送達部分によって胃バンドに結合されている。注入ポートは、基部、およびカラー（collar）を有するセプタム保持器（septum retainer）を含んでいる。胃バンディング組立品は、セプタムをさらに含み、セプタムは、セプタム保持器と係合して、セプタム保持器内に収容されたときに多方向の圧縮力がセプタムに働くように操作可能に構成された先細り面を含んでいる。
【０００８】
開示されているのは、中にセプタム保持器を有するポート本体を含むポートである。そのポートは、セプタムをさらに含み、セプタムは、セプタム保持器に係合して、セプタム保持器内に収容されたときに多方向の圧縮力がセプタムに働くように操作可能に構成された先細りの表面を含んでいる。
【０００９】
開示されているのは、中に収容されたセプタム保持器を備えたポート本体を含むポートであり、セプタム保持器は、基部と、カラーと、を含んでいる。ポートは、セプタムをさらに含み、セプタムは、セプタム保持器が組み立てられたときに基部およびカラーの中に保持されてよく、多方向の圧縮力がセプタムに働くようになっている。
【００１０】
本明細書に組み込まれ本明細書の一部を構成する添付の図面は、本発明の実施の形態を示していて、上記の本発明の概要、および、以下に記載される実施の形態の詳細な説明、と共に、本発明の原理を説明するのに役立つ。
【００１１】
本発明の現在の好ましい実施の形態が、こんどは詳しく参照され、現在の好ましい実施の形態の例が添付の図面に示されている。
【００１２】
〔詳細な説明〕
以下の説明では、類似の参照符号は、いくつかの図面を通して類似のまたは対応する部分を示している。さらに、以下の記載では、前（front）、後（back）、内側（inside）、外側（outside）、および、それらの類似の言葉、などの用語は、便宜上の用語であり、限定する用語として解釈されてはならないことを理解されたい。本明細書で用いられている用語は、本明細書に記載されている装置または装置の一部が別の姿勢で取り付けられまたは用いられてもよい範囲では、限定を意味するものではない。図面をより詳しく参照して、本発明の実施の形態を次に記載する。
【００１３】
図１を参照すると、胃バンディング組立体６のある形態の環境を示す図が示されていて、胃バンディング組立体６は、送達部分１３によって注入ポート１０に結合された胃バンド８を含んでいる。胃バンド８は、注入ポート１０を通した流体またはその類似物の送達または除去が、胃バンド８によって形成された瘻の寸法を調節するように、患者の胃９の周りに配置されていてよい。注入ポート１０は、患者の筋系に注入ポート１０を固定することなどによって、患者の体内に保持されていてよく、胃バンディング組立体へのアクセスが、ヒューバー針またはその類似物を患者の体内に、そして、注入ポート１０内に、挿入することによって、達成されるようになっている。
【００１４】
図２を参照すると、植え込み可能な注入ポート１０は、ポート本体１１と、送達部分１３と、を含み、ポート本体１１は、その中にセプタム１６を収容するように構成されている。本明細書に開示されているセプタム１６およびポート本体１１の形態は、例えば、２００３年１２月１９日に出願された同時係属中の米国特許出願第１０／７４１，８７５号「一体的な可動維持部材を備えた皮下自動取り付け注入ポート（Subcutaneous Self Attaching Injection Port With Integral Moveable Retention Members）」に開示されたもののような任意の適切なポートまたは送達手段と共に用いられてよく、上記米国特許出願は、その全体が、本発明の範囲を限定しない限りにおいて、参照することによって、本明細書に組み込まれる。さらに、本出願は、それらのすべてが２００３年１２月１９日に出願された以下の米国特許出願、すなわち、出願第１０／７４１，１２７号「適用された締結具用の皮下注入ポート（Subcutaneous Injection Port For Applied Fasteners）」、出願第１０／７４１，８７５号「一体的な可動維持部材を備えた皮下自動取り付け注入ポート（Subcutaneous Self Attaching Injection Port With Integral Moveable Retention Members）」、および、出願第１０／７４１，８６８号「一体的な締結具を備えた皮下自動取り付け注入ポート（Subcutaneous Self Attaching Injection Port With Integral Fasteners）」を、これらの米国特許出願が本発明の範囲を限定しない限りにおいて、参照することによって、本明細書に組み込む。セプタム１６が、一例として、ペースメーカー、脈管アクセスポート、胃バンドで用いられるような注入ポート、および、胃ペーシング装置（gastric pacing devices）、などを含む、セプタムが適する任意の植え込み可能な医療用装置と共に用いられてよいことが、適正に評価されるはずである。
【００１５】
図３を参照すると、ポート本体１１は、セプタム保持器１４を含んでいて、セプタム保持器１４は、ほぼ環状のバンドとして構成されていて、セプタム１６をその中に維持するように操作可能に構成された基部１７およびカラー１９を含んでいる。セプタム保持器１４の基部１７およびカラー１９は、結合されると、セプタム１６に半径方向の圧縮力および軸方向の圧縮力を提供するように操作可能に構成することができる。カラー１９は、環状リム１５をさらに含み、セプタム１６はセプタム保持器１４の内部キャビティ２５内に保持されたときに環状リム１５を通して突出することができる。
【００１６】
ある形態では、図３に示されているように、セプタム１６は、底面３２、上面３４、および、先細り面４０、を有する、ほぼ円錐形の円盤、を含む。セプタム１６は、底面３２から上面３４へ向けて先細りになっていてよく、ここで、例えば底面３２の直径は、上面３４の直径よりも大きい。ある形態では、セプタム１６を先細りにすることによって、そして、カラー１９を対応した先細りの形状に構成することによって、セプタム１６は、カラー１９が組み立ての間に内向きに押すので、半径方向に圧縮されてよい。この内向きの圧縮は、セプタム１６が針で穿刺された後にセプタム１６中の欠陥を有益に再密閉する半径方向の圧縮を生み出すことができる。ある形態では、セプタム１６は、先細りでない基部３６を含み、ここで、基部３６は、支持のために、基部１７の環状の平面１８と同一平面に配置されるように構成されていてよい。セプタム１６は、最初は内部キャビティ２５よりも大きくてよく、基部１７およびカラー１９が組み立てられたときに、セプタム１６が基部１７およびカラー１９にぴったり収まるために圧縮されなければならないようにされている。軸方向の圧縮は、セプタム１６を環状のリム１５と環状の平面１８との間で圧縮することによって、生み出すことができる。
【００１７】
セプタム１６は例えばシリコンなどの任意の適切な生体適合性の材料で構成することができることが、適正に評価されるはずである。先細りの角度αは、底面３２のベクトルと先細りの表面４０のベクトルとによって定められ、約１０度から約８０度まで、約２０度から約７０度まで、約３０度から約６０度まで、約５５度から約７０度まで、約６５度、および／または、任意のその他の適切な角度、であってよい。ある形態では、セプタム１６は、複数の角度の変化が与えられていてよく、さまざまなレベルの半径方向および／または軸方向の圧縮がセプタム１６に働くようになっている。例えば、セプタムの底面での先細りの角度は、６５度であってよく、上面に向かう先細りの角度は７０度であってよい。先細りの角度が徐々に変化してよいこと、および／または、先細りの角度が一連の角度の変化を含み、各変化の間で角度が一定であること、も考えられる。
【００１８】
図４および図５を参照すると、ポート本体１１１の別の形態が示されていて、ポート本体１１１は、セプタム１１６に軸方向の圧縮力および半径方向の圧縮力のような多方向の圧縮力を加えるように操作可能に構成されている。ポート本体１１１は、セプタム保持器１１４を含み、セプタム保持器１１４は、その中にセプタム１１６を保持するように操作可能に構成された基部１１７およびカラー１１９を含むほぼ環状の構成要素を含んでいる。セプタム保持器１１４の基部１１７およびカラー１１９は、結合されたときに、セプタム１１６に対して、半径方向の圧縮力および軸方向の圧縮力を加えるように操作可能に構成されている。カラー１１９は、環状のリム１１５をさらに含み、リム１１５を通してセプタム１１６が突出することができる。
【００１９】
ある形態では、セプタム１１６は、ほぼ環状の円盤であり、円盤は、底面１３２と、上面１３４と、を含み、例えばシリコンなどの弾性材料で構成されている。セプタム１１６は、挿入前は内部キャビティ１２５の直径よりも大きい直径を有するように構成されていてよい。カラー１１９には、傾斜した引き込み部（lead-in）１５０が設けられていてよく、引き込み部１５０は、組み立ての間にセプタム１１６を半径方向に搾り、セプタム１１６が内部キャビティ１２５内に挿入されるのを容易にするように動作可能に構成されている。セプタム１１６は挿入されると、内部キャビティ１２５の低減された直径内にしっかりと嵌め合わされるまで傾斜した引き込み部１５０によって圧縮されてよい。弾性的なセプタム１１６を挿入することによって、弾性材料のセプタムがカラー１１９に向けて膨張しようとするので、セプタム１１６内で半径方向の圧縮が生じる。セプタム１１６の半径方向の圧縮は、一回または複数回の針の穿刺の後の再密閉を容易にすることができる。
【００２０】
半径方向の圧縮に加えて、軸方向の圧縮が、基部１１７をセプタム保持器１１４のカラー１１９と結合させることによって、加えられてよい。例えば、セプタム１１６は、組み立ての間に、基部１１７の環状の平面１１８とカラー１１９の環状のリム１１５との間で軸方向に圧縮されてよい。セプタム１１６は、基部１１７およびカラー１１９が結合されたときに、セプタム１１６の弾性材料が圧縮され保持されて、それによって、セプタム中に軸方向の圧縮力を生み出すように、構成することができる。例えば、セプタム１１６の最初の高さは、結合されたときの基部１１７とカラー１１９との間の間隔よりも大きくてよい。図示された形態では、セプタム１１６の再密閉性が改善されるように、軸方向の圧縮力および半径方向の圧縮力の両方を同時に生み出すことができる。複数の圧縮力を提供することによって、一方向のみの力が提供された場合には密閉されずに残ることがある欠陥またはその類似物が再密閉されてよい。
【００２１】
セプタム１１６は、例えばシリコンのような任意の適切な生体適合性のおよび／または弾性の材料で構成されていてよいことが、適正に評価されるはずである。セプタム１１６は、先細りの表面をも含んでいてよいことも、適正に評価されるはずである。カラー１１９は、セプタム１１６をセプタム保持器１１４に挿入するのを容易にするための適切な角度を有する任意の適切な傾斜した引き込み部１５０を含んでいてよい。例えば、セプタム１１６は挿入前に予め圧縮されていて、カラー１１９に挿入されると、セプタム１１６に予め加えられていた圧縮力を解除することができ、セプタム１１６がセプタム保持器１１４の側面を圧迫するようにされていることも、さらに考えられる。
【００２２】
半径方向、および軸方向のように、複数の方向に圧縮力を同時に提供することによって、セプタムがより有効ではなくなるまでまたは無効になるまでに、針またはその類似物によってセプタムが穿刺される回数を増加することができる。セプタムの寿命を長くすることによって、注入ポートおよび／または関連する医療用装置の寿命を増大させることができる。注入ポートの寿命を延長することによって、その注入ポートまたはその類似物が用いられる手技および器具の有効性、安全性、および、／または、正確さ、を増加させることができる。
【００２３】
任意の適切な多方向の力が、針による穿刺の後のセプタムの改善された自己回復性を助長するために、任意の適切な手段によって提供されてよいことが、適正に評価されるはずである。例えば、多方向の圧縮力は、セプタムおよびセプタム保持器を、軸方向の圧力を加えるように構成された簡単なアーバープレスを用いて、結合することで、達成することができる。多方向の圧縮力は、セプタムおよびセプタム保持器が係合したときに半径方向の圧縮力を加えるアーバープレスの軸方向の力によって、達成することができる。軸方向の圧縮力および半径方向の圧縮力のような多方向の力は、同時に、または、順番に、達成することができる。例えば、ある形態では、セプタムおよびセプタム保持器は、エーコーンプレス（acorn press）またはその類似物によって組み立てられるときに軸方向に圧縮されてよい。半径方向の圧縮力は、次に、セプタム保持器の周りに環状のバンドを提供することによって達成することができ、そのバンドは、調節されたときに、エーコーンプレスによって生み出された軸方向の圧縮力に加えて、半径方向の圧縮力をセプタムに加える。
【００２４】
セプタムおよび／またはセプタム保持器は、一方向でまたは多方向で、任意の適切なレベルの圧縮力を加えるように構成されていてよいことが、適正に評価されるはずである。例えば、セプタムの先細りの角度を調節する、さまざまな角度を備えた先細りを提供する、セプタム保持器の先細りの角度を調節する、環状の平面の形状または寸法を調節する、セプタムの寸法を変更する、傾斜した引き込み部の形状を変更する、および／または、半径方向圧縮バンド（図示せず）を追加する、などによって、複数の方向の力が生み出されるか、または調節されてよい。セプタム保持器、ポート本体、および／または、その他の構成要素、は、例えば、ポリエーテルエーテルケトン（ＰＥＥＫとして知られている）のような、十分な剛性および強度を有する任意の適切な材料で作られていてよい。
【００２５】
本発明の好ましい実施の形態が、本明細書で図示され記載されたが、そのような実施の形態が例示の目的のみで提供されたことは、当業者には明らかであろう。さまざまな変形、変更、および、置換、が、今や、当業者には、添付の特許請求の範囲の真髄および範囲を逸脱することなく、思いつくことができるであろう。さらに、本発明に関連して記載された各要素は、その要素の機能を実行するための手段として代わりに記載されてもよい。
【００２６】
例えば、本発明の開示内容の利益があるならば、上記の本発明が別の種類の植え込み可能なバンドにも同じように適用可能であることが、当業者には容易に明らかとなるであろう。例えば、バンドが便失禁の治療のために用いられる。そのようなバンドの一つが、米国特許第６，４６１，２９２号に記載されていて、この米国特許は参照することによって本明細書に組み込まれる。バンドは、尿失禁の治療にも用いられる。そのようなバンドの一つが、米国特許出願第２００３／０１０５３８５号に記載されていて、この米国特許出願は、参照することによって本明細書に組み込まれる。バンドは、胸焼けおよび／または酸逆流の治療にも用いられる。そのようなバンドの一つが、米国特許第６，４７０，８９２号に記載されていて、この米国特許は参照することによって本明細書に組み込まれる。バンドは、インポテンスの治療にも用いられる。そのようなバンドの一つが、米国特許出願公開第２００３／０１１４７２９号に記載されていて、この米国特許出願公開は参照することによって本明細書に組み込まれる。さらに、水圧式の膨張可能な治療部材が、外部から調節可能な嚢（bladder）を含んでいてよく、その嚢が、陰茎インプラントなどを、長さおよび／または外径を拡張することによって、駆動する。
【００２７】
〔実施の態様〕
この発明の具体的な実施態様は以下の通りである。
（１）ポートにおいて、
（ａ）セプタム保持器を中に有するポート本体と、
（ｂ）セプタムであって、前記セプタムが前記セプタム保持器内に収容されたときに、多方向（multi-directional）の圧縮力が前記セプタムに働くように前記セプタム保持器と係合するよう操作可能に構成された、先細りの表面、を含む、セプタムと、
を具備する、ポート。
（２）実施態様（１）に記載のポートにおいて、
前記セプタムが、弾性材料で構成されている、ポート。
（３）実施態様（２）に記載のポートにおいて、
前記セプタムが、シリコンで構成されている、ポート。
（４）実施態様（１）に記載のポートにおいて、
前記セプタム保持器が、前記セプタムの前記先細りの表面に対応する先細りの表面、をさらに含む、ポート。
（５）実施態様（１）に記載のポートにおいて、
前記多方向の圧縮力が、針の穿刺によって引き起こされた欠陥がほぼ自己回復するように前記セプタムに加えられる軸方向の圧縮力、および半径方向の圧縮力、を含む、ポート。
（６）実施態様（１）に記載のポートにおいて、
前記セプタム保持器が、
カラー、および基部、
をさらに含み、
前記カラーおよび前記基部は、前記セプタムが前記カラーおよび前記基部内で圧縮されるように、結合されている、
ポート。
（７）実施態様（１）に記載のポートにおいて、
前記多方向の圧縮力が、エーコーンプレスを用いて、前記セプタム、および前記セプタム保持器を結合することによって、生み出される、ポート。
（８）ポートにおいて、
（ａ）ポート本体と、
（ｂ）前記ポート本体内に収容されたセプタム保持器であって、基部、およびカラーを含む、セプタム保持器と、
（ｃ）セプタムであって、前記セプタムは、前記セプタム保持器が組み立てられたときに前記基部および前記カラーの中に保持されて、多方向の圧縮力が前記セプタムに働く、セプタムと、
を具備する、ポート。
（９）実施態様（８）に記載のポートにおいて、
前記セプタムが、弾性材料で構成されている、ポート。
（１０）実施態様（９）に記載のポートにおいて、
前記セプタムが、シリコンで構成されている、ポート。
【００２８】
（１１）実施態様（８）に記載のポートにおいて、
前記セプタムが、前記セプタム保持器内の内部キャビティの直径よりも大きい初期の直径を有し、
前記セプタムを前記内部キャビティ内に圧縮することによって、前記セプタムに働く半径方向の圧縮力が生み出される、
ポート。
（１２）実施態様（１１）に記載のポートにおいて、
前記セプタムが、前記基部と前記カラーの環状リムとの間の前記内部キャビティの高さよりも大きい初期の高さを有し、
前記基部と前記カラーとを結合することによって、前記セプタムに働く軸方向の圧縮力が生み出されるように、前記セプタムが圧縮される、
ポート。
（１３）実施態様（１１）に記載のポートにおいて、
前記カラーが、前記セプタムを前記内部キャビティ内に挿入し圧縮するのを援助するように操作可能に構成された先細りの引き込み部、をさらに含む、ポート。
（１４）実施態様（１３）に記載のポートにおいて、
前記セプタム保持器、および前記セプタムが、エーコーンプレスを用いて結合されている、ポート。
（１５）実施態様（１１）に記載のポートにおいて、
前記セプタム保持器、および前記セプタムが、エーコーンプレスを用いて結合されている、ポート。
（１６）実施態様（８）に記載のポートにおいて、
前記多方向の圧縮力が、軸方向の圧縮力、および半径方向の圧縮力、である、ポート。
（１７）胃バンディング組立体において、
（ａ）胃バンドと、
（ｂ）注入ポートであって、前記注入ポートは、前記注入ポートと前記胃バンドとの間に構成された送達部分によって前記胃バンドに結合された、注入ポートと、
（ｃ）前記注入ポート内に収容されたセプタム保持器であって、基部、およびカラーを、含む、セプタム保持器と、
（ｄ）セプタムであって、前記セプタムが、前記セプタム保持器内に収容されたときに多方向の圧縮力が前記セプタムに働くように前記セプタム保持器と係合するよう操作可能に構成された、先細りの表面、を含む、セプタムと、
を具備する、胃バンディング組立体。
（１８）実施態様（１７）に記載の胃バンディング組立体において、
前記多方向の圧縮力が、軸方向の圧縮力、および半径方向の圧縮力、を含む、胃バンディング組立体。
（１９）実施態様（１８）に記載の胃バンディング組立体において、
前記セプタムが、シリコンで構成されている、胃バンディング組立体。
（２０）実施態様（１９）に記載の胃バンディング組立体において、
前記先細りの表面が、少なくとも２つの異なる角度、を含む、胃バンディング組立体。
【図面の簡単な説明】
【００２９】
【図１】注入ポートが取り付けられ、胃の周りに配置された、胃バンドの環境を示す図である。
【図２】中にセプタムを収容するように構成されたポート本体を有する、図１の注入ポートの斜視図である。
【図３】図２の注入ポートの線３−３に沿った正面断面図である。
【図４】セプタムを挿入する前の状態で示された注入ポートの別の形態の線３−３に沿った正面断面図である。
【図５】セプタムが注入ポート内に挿入され注入ポート内で圧縮された後の図４の注入ポートの線３−３に沿った正面断面図である。
【図１】
2007203070.tif 000003
【図２】
2007203070.tif 000004
【図３】
2007203070.tif 000005
【図４】
2007203070.tif 000006
【図５】
2007203070.tif 000007
【外国語明細書】
2007203070000001.pdf